(57)【要約】【課題】モバイルパワーパックの運用情報を検測し、当該運用情報をモバイルパワーパックと電気接続的された電子装置に表示するモバイルパワーパックの電気エネルギー管理システムを提供すること。【解決手段】充電電路２０は外部の充電電源が提供する電力を利用して充電式電池１０を充電し、電源回路３０は充電式電池１０が貯えた電力を利用して電気接続した電子装置６０に電力を供給し、ＭＣＵ４０は充電電路２０及び電源回路３０と電気接続されて、モバイルパワーパックの運用情報を取得し、管理ソフトウェア部５０は電子装置６０に搭載され、ＭＣＵ４０は前記運用情報を管理ソフトウェア部５０に伝送し、管理ソフトウェア部５０は該運用情報を電子装置６０に表示する。【選択図】図１
0003203255.tif 000002
【実用新案登録請求の範囲】
【請求項１】
モバイルパワーパックの運用情報の検測及び運用情報の電子装置への表示に用いられるモバイルパワーパックの電気エネルギー管理システムであって、充電式電池、充電電路、ＭＣＵ、電源回路、管理ソフトウェア部を含み、充電電路は外部の充電電源が提供する電力を利用して充電式電池を充電し、電源回路は充電式電池が貯えた電力を利用して電気接続した電子装置に電力を供給し、ＭＣＵは充電電路及び電源回路と電気接続されて、前記運用情報を取得し、管理ソフトウェア部は電子装置に搭載され、ＭＣＵは前記運用情報を管理ソフトウェア部に伝送し、管理ソフトウェア部は該運用情報を前記電子装置に表示することを特徴とする、モバイルパワーパックの電気エネルギー管理システム。
【請求項２】
充電式電池の温度を検測する温度検測エレメントが充電式電池内に設置され、温度検測エレメントは充電式電池の温度情報をＭＣＵに伝送し、ＭＣＵは、過熱保護電路を含み、充電式電池の温度が事前設定の温度を上回った時、充電電路を制御して充電式電池の充電を停止することを特徴とする、請求項１に記載のモバイルパワーパックの電気エネルギー管理システム。
【請求項３】
数個の指示灯が含まれ、指示灯はＭＣＵと電気接続され、ＭＣＵは充電式電池の電圧に基づき指示灯の動作を制御し、前記指示灯により充電式電池の余剰電力量を表示することを特徴とする、請求項１に記載のモバイルパワーパックの電気エネルギー管理システム。
【請求項４】
ＭＣＵは電源スイッチに電気接続され、電源スイッチを押す手動操作により電子装置への電力供給を開始することを特徴とする、請求項３に記載のモバイルパワーパックの電気エネルギー管理システム。
【請求項５】
充電電路は、第一電力入力部、第一電力出力部、及び少なくとも一つの第一検知接点を含み、第一電力入力部は、第一電気コネクタの一つに電気接続されて外部の充電電源との電気接続に用いられ、第一電力出力部は、充電式電池に電気接続されて充電式電池の充電に用いられ、第一検知接点は、ＭＣＵと電気接続され、ＭＣＵが充電電路の運用情報を取得するのに用いられることを特徴とする、請求項１に記載のモバイルパワーパックの電気エネルギー管理システム。
【請求項６】
充電電路の運用情報には、充電電路の充電式電池への充電電流、充電電路の充電式電池への充電状態、充電電路の充電式電池への充電モデルの中の任意の一つ或いはその組合せが含まれることを特徴とする、請求項５に記載のモバイルパワーパックの電気エネルギー管理システム。
【請求項７】
第三検知点が含まれ、ＭＣＵは、第三検知接点を通じて充電電路の第一電力入力部と電気接続されて外部の充電電源の電圧を取得し、また外部の充電電源の電圧を管理ソフトウェア部に伝送することを特徴とする、請求項５に記載のモバイルパワーパックの電気エネルギー管理システム。
【請求項８】
充電電路は過電圧保護、過電流保護、充電モデル制御の中の任意の一種類の機能或いはその組合せの充電ＩＣを内包することを特徴とする、請求項１に記載のモバイルパワーパックの電気エネルギー管理システム。
【請求項９】
電源回路は、第二電力入力部、第二電力出力部、少なくとも一つの第二検知接点を含み、第二電力入力部は、充電式電池と電気接続されてその貯えた電力を取得し、第二電力出力部は、第二電気コネクタの一つに電気接続され、第二電気コネクタを経て電子装置と電気接続され、電子装置への電力供給に用いられ、第二検知接点は、ＭＣＵと電気接続され、ＭＣＵが電源回路の運用情報を取得するのに用いられ、運用情報には電源回路の電力供給電流が含まれ、ＭＣＵは第二電気コネクタに電気接続され、さらに第二電気コネクタを経て運用情報を管理ソフトウェア部に伝送することを特徴とする、請求項１に記載のモバイルパワーパックの電気エネルギー管理システム。
【請求項１０】
電源回路には電気接続検出接点が含まれ、電気接続検出接点は電子装置が第二電気コネクタと電気接続した時に電気接続信号を生じるのに用いられ、また電気接続信号をＭＣＵに伝送することを特徴とする、請求項９に記載のモバイルパワーパックの電気エネルギー管理システム。
【請求項１１】
互いに異なる規格の二つの第二電気コネクタ、及び一つの出力信号制御ユニットが含まれ、出力信号制御ユニットは、ＭＣＵ及び二つの第二電気コネクタと電気接続され、運用情報を電子装置とマッチする運用情報に転換することを特徴とする、請求項９に記載のモバイルパワーパックの電気エネルギー管理システム。
【請求項１２】
電源回路には低電圧保護電路が含まれ、低電圧保護電路は、充電式電池の電池電圧が事前設定の電圧を下回った時に電力供給を停止することを特徴とする、請求項１に記載のモバイルパワーパックの電気エネルギー管理システム。
【請求項１３】
管理ソフトウェア部が表示する運用情報には、充電電路が充電式電池に充電する充電電流、充電電路の充電式電池への充電状態、充電電路の充電式電池への充電モデル、充電式電池の電池電圧、電源回路の電力供給電流、外部の充電電源の電圧、モバイルパワーパックの保護モデルの中の任意の一種類、或いはその組合せが含まれることを特徴とする、請求項１に記載のモバイルパワーパックの電気エネルギー管理システム。
【請求項１４】
無線通信ユニットが含まれ、無線通信ユニットはＭＣＵと電気接続され、無線通信ユニットは電子装置と通信可能であり、ＭＣＵは無線通信ユニットを通じて運用情報を管理ソフトウェア部へ伝送することを特徴とする、請求項１に記載のモバイルパワーパックの電気エネルギー管理システム。
【考案の詳細な説明】
【技術分野】
【０００１】
本考案は、モバイルパワーパックの運用情報を検測し、また当該運用情報をモバイルパワーパックと電気接続された電子装置で運用される管理ソフトウェア部に表示するモバイルパワーパックの電気エネルギー管理システムに関する。
【背景技術】
【０００２】
電子・情報技術の進歩により、スマートフォンやタブレットＰＣ、ＭＰ３プレーヤーといった多くの様々な機能の携帯型電子装置が開発され発売されている。多くの携帯型電子装置は高い機能を備え、かつ携帯に便利で、多くの現代人の日常に不可欠の身の回り用品の一つとなっている。
【０００３】
携帯型電子装置は通常、内部に充電式電池を持っている。こうした携帯型電子装置の電池の持続時間は数時間連続使用するのに充分で、スマートフォンの中には数日スタンバイ可能なものもある。大部分の携帯型電子装置の充電式電池は１日の日常的な利用に充分であるものの、急用時の電力低下や充電を忘れた結果の電力切れの問題発生を避けるため、一種の小型かつ携帯に便利なモバイルパワーパック装置が誕生した。
【０００４】
既存のモバイルパワーパック装置は主に大容量の充電式電池、入力コネクタ、出力コネクタ、容量指示灯、スイッチからなる。入力コネクタは外部電源と連結して充電式電池に充電し、充電式電池は出力コネクタを通じて携帯式電子装置と連結し、充電式電池が貯えた電力で携帯式電子装置に電力供給する。市販のモバイルパワーパック装置は通常、数個の発光ダイオードを通じて充電式電池の余剰電力量を示す。これがなければ、使用者は充電式電池の充電過程における充電電圧、充電電流及び電池温度等の充電式電池のその他の運用情報は全く知ることができない。言い換えれば、使用者はモバイルパワーパック装置の安全性、機能、容量、効率等の問題を適切に管理できないということになる。
【考案の概要】
【考案が解決しようとする課題】
【０００５】
本考案が解決しようとする課題は、モバイルパワーパックの運用情報を検測し、当該運用情報をモバイルパワーパックと電気接続的された電子装置に表示するモバイルパワーパックの電気エネルギー管理システムを提供することにある。
【課題を解決するための手段】
【０００６】
本考案は、モバイルパワーパックの運用情報の検測及び運用情報の電子装置への表示に用いられるモバイルパワーパックの電気エネルギー管理システムに関し、充電式電池、充電電路、ＭＣＵ、電源回路、管理ソフトウェア部を含み、充電電路は外部の充電電源が提供する電力を利用して充電式電池を充電し、電源回路は充電式電池が貯えた電力を利用して電気接続した電子装置に電力を供給し、ＭＣＵは充電電路及び電源回路と電気接続されて、前記運用情報を取得し、管理ソフトウェア部は電子装置に搭載され、ＭＣＵは前記運用情報を管理ソフトウェア部に伝送し、管理ソフトウェア部は該運用情報を前記電子装置に表示する。
【０００７】
以下の構成を採用しても良い。
充電式電池の温度を検測する温度検測エレメントが充電式電池内に設置され、温度検測エレメントは充電式電池の温度情報をＭＣＵに伝送し、ＭＣＵは、過熱保護電路を含み、充電式電池の温度が事前設定の温度を上回った時、充電電路を制御して充電式電池の充電を停止する構成。
数個の指示灯が含まれ、指示灯はＭＣＵと電気接続され、ＭＣＵは充電式電池の電圧に基づき指示灯の動作を制御し、前記指示灯により充電式電池の余剰電力量を表示する構成。
この場合、ＭＣＵは電源スイッチに電気接続され、電源スイッチを押す手動操作により電子装置への電力供給を開始する構成。
【０００８】
充電電路は、第一電力入力部、第一電力出力部、及び少なくとも一つの第一検知接点を含み、第一電力入力部は、第一電気コネクタの一つに電気接続されて外部の充電電源との電気接続に用いられ、第一電力出力部は、充電式電池に電気接続されて充電式電池の充電に用いられ、第一検知接点は、ＭＣＵと電気接続され、ＭＣＵが充電電路の運用情報を取得するのに用いられる構成。
この時、充電電路の運用情報には、充電電路の充電式電池への充電電流、充電電路の充電式電池への充電状態、充電電路の充電式電池への充電モデルの中の任意の一つ或いはその組合せが含まれる構成。
また、第三検知点が含まれ、ＭＣＵは、第三検知接点を通じて充電電路の第一電力入力部と電気接続されて外部の充電電源の電圧を取得し、また外部の充電電源の電圧を管理ソフトウェア部に伝送する構成。
【０００９】
充電電路は過電圧保護、過電流保護、充電モデル制御の中の任意の一種類の機能或いはその組合せの充電ＩＣを内包する構成。
電源回路は、第二電力入力部、第二電力出力部、少なくとも一つの第二検知接点を含み、第二電力入力部は、充電式電池と電気接続されてその貯えた電力を取得し、第二電力出力部は、第二電気コネクタの一つに電気接続され、第二電気コネクタを経て電子装置と電気接続され、電子装置への電力供給に用いられ、第二検知接点は、ＭＣＵと電気接続され、ＭＣＵが電源回路の運用情報を取得するのに用いられ、運用情報には電源回路の電力供給電流が含まれ、ＭＣＵは第二電気コネクタに電気接続され、さらに第二電気コネクタを経て運用情報を管理ソフトウェア部に伝送する構成。
この場合、電源回路には電気接続検出接点が含まれ、電気接続検出接点は電子装置が第二電気コネクタと電気接続した時に電気接続信号を生じるのに用いられ、また電気接続信号をＭＣＵに伝送する構成。
また、互いに異なる規格の二つの第二電気コネクタ、及び一つの出力信号制御ユニットが含まれ、出力信号制御ユニットは、ＭＣＵ及び二つの第二電気コネクタと電気接続され、運用情報を電子装置とマッチする運用情報に転換する構成。
【００１０】
電源回路には低電圧保護電路が含まれ、低電圧保護電路は、充電式電池の電池電圧が事前設定の電圧を下回った時に電力供給を停止する構成。
管理ソフトウェア部が表示する運用情報には、充電電路が充電式電池に充電する充電電流、充電電路の充電式電池への充電状態、充電電路の充電式電池への充電モデル、充電式電池の電池電圧、電源回路の電力供給電流、外部の充電電源の電圧、モバイルパワーパックの保護モデルの中の任意の一種類、或いはその組合せが含まれる構成。
無線通信ユニットが含まれ、無線通信ユニットはＭＣＵと電気接続され、無線通信ユニットは電子装置と通信可能であり、ＭＣＵは無線通信ユニットを通じて運用情報を管理ソフトウェア部へ伝送する構成。
【考案の効果】
【００１１】
本考案によれば、モバイルパワーパックの様々な運用情報を検測し、この運用情報をモバイルパワーパックと電気接続的された電子装置に表示するので、使用者がモバイルパワーパック装置の安全性、機能、容量、効率等の問題を管理できる。
【図面の簡単な説明】
【００１２】
【図１】本考案の実施例１を示すモバイルパワーパックの電気エネルギー管理システムのシステムブロック図である。
【図２】本考案の実施例２を示すモバイルパワーパックの電気エネルギー管理システムのシステムブロック図である。
【図３】本考案の実施例３を示すモバイルパワーパックの電気エネルギー管理システムのシステムブロック図である。
【図４】本考案の実施例４を示すモバイルパワーパックの電気エネルギー管理システムのシステムブロック図である。
【図５】本考案の実施例５を示すモバイルパワーパックの電気エネルギー管理システムのシステムブロック図である。
【考案を実施するための形態】
【００１３】
以下、本考案の実施例を図面に基づいて詳細に説明する。
図１は、本考案の実施例１を示す本考案のモバイルパワーパックの電気エネルギー管理システムである。
本考案のモバイルパワーパックの電気エネルギー管理システムは、一つの充電式電池１０、一つの充電電路２０、一つの電源回路３０、一つのＭＣＵ（Ｍｉｃｒｏ  Ｃｏｎｔｒｏｌ  Ｕｎｉｔ）４０及び一つの管理ソフトウェア部５０を含む。充電式電池１０、充電電路２０、電源回路３０、ＭＣＵ４０はあわせて外殼の中に設置されて携帯して使用するのに便利なモバイルパワーパックを構成する。
【００１４】
ＭＣＵ４０を利用して検知するモバイルパワーパックの運用情報には、充電式電池１０、充電電路２０、電源回路３０の運用情報（詳細は後述のとおり）、及びモバイルパワーパックと電気接続した電子装置６０中の管理ソフトウェア部５０の運用情報が含まれ、管理ソフトウェア部５０が運用情報を表示することにより、使用者がモバイルパワーパック装置の安全性、機能、容量、効率等の問題を管理できるようにしている。
【００１５】
充電式電池１０は、電力の貯蔵、及び貯えた電力を充電式電池１０に電気接続した電子装置６０に供給するのに用いる。充電式電池１０は、リチウムイオン電池、聚合物リチウム電池（Ｐｏｌｙｍｅｒ  ｌｉｔｈｉｕｍ  ｂａｔｔｅｒｙ）（「高分子リチウム電池」とも呼ぶ）と高容量リチウム電池（１８６５０リチウム電池など）の中のどの一種類でもよい。
【００１６】
充電電路２０は外部の充電電源が提供する電力を利用して充電式電池１０を充電する。ここで述べる外部の充電電源は直流電源供給器（ＤＣ  Ａｄａｐｔｅｒ）或いはその他の電子装置（ノート型ＰＣ）上の電力出力機能を備えるコネクタ（電力出力のＵＳＢ接続ポートを含む）でもよい。
実施例１では、充電電路２０に第一電力入力部２１が一つ、第一電力出力部２２が一つ、第一検知接点２３が少なくとも一つ含まれる。
第一電力入力部２１は、第一電気コネクタ７１に電気接続され、外部の充電電源との電気接続に用いられる。そして、充電電路２０が外部の充電電源が提供する電力を充電式電池１０に充電する電力に転換して、第一電力出力部２２に電気接続した充電式電池１０の充電に使用する。
【００１７】
また、第一検知接点２３とＭＣＵ４０を電気接続し、ＭＣＵ４０が充電電路２０の運用情報（使用するＭＣＵ４０の機能と各ピンの機能に基づき、１個或或いはそれ以上の第一検知接点２３を含むことができる）を取得するのに利用できる。
実施例１では、当該運用情報に、充電電路２０の充電式電池１０に対する充電電流、充電電路２０の充電式電池１０に対する充電状態（充電中と未充電の２種類の状態を含む）、充電電路２０の充電式電池１０に対する充電モデル（定電圧定電流充電など）の中の任意の１種類或いはその組合せが含まれる。
【００１８】
ＭＣＵ４０を第一電力出力部２２の検知点２４ａ、２４ｂにブリッジ接続して、充電電路２０の充電式電池１０への充電電流及びその充電状態の検知に用いる。
充電電路２０は充電積体電路（略称「充電ＩＣ」）とすることができる。或いは、充電電路２０は、過電圧保護、過電流保護、充電モデル制御の中のいずれか一つの機能或いはその組合せ（定電圧定電流充電モデルなど）の充電ＩＣを含み、充電式電池１０が過電圧充電と過電流充電により損なわれないようにすることもできる。このため当該運用情報にはモバイルパワーパックの保護モデルも含む。
【００１９】
電源回路３０は充電式電池１０が貯えた電力を利用して電気接続した電子装置６０に電力供給する。電源回路３０には、第二電力入力部３１が１点、第二電力出力部３２が１点、第二検知接点３３が少なくとも１点含まれる。
第二電力入力部３１は充電式電池１０に電気接続され、その貯えた電力を取得する。
第二電力出力部３２は第二電気コネクタ７２に電気接続され、第二電気コネクタ７２を経由して電子装置６０と電気接続されて、電子装置６０へ電力を供給する。
第二検知接点３３はＭＣＵ４０と電気接続され、ＭＣＵ４０が電源回路３０の運用情報を取得するのに用いられる。実施例１では、当該の運用情報に電源回路３０の電力供給電流を含む。
【００２０】
実施例１では、電源回路３０は、１点の電気接続検出接点３４を含み、電子装置６０と第二電気コネクタ７２の電気接続時に電気接続信号を生み出すのに使用し、また当該電気接続信号をＭＣＵ４０に伝送する。電子装置６０と第二電気コネクタ７２の電気接続時に、ＭＣＵ４０は前述の運用情報を管理ソフトウェア部５０に伝送し、並びに、或いは電子装置６０への電力供給を開始する。
【００２１】
実施例１では、電源回路３０が低電圧保護電路を含み（図中では示されていない）、充電式電池１０の電池電圧が事前設定の電圧を下回った時に電力供給を停止し、充電式電池１０を保護し過度の放電を回避する機能を持つ。
また、充電電路２０と電源回路３０はＩＣエレメントを採用可能である。
【００２２】
ＭＣＵ４０は、充電式電池１０、充電電路２０、電源回路３０と電気接続され、充電式電池１０、充電電路２０、電源回路３０の前述の運用情報を取得し、また当該運用情報に係るモバイルパワーパックと電気接続した（第二電気コネクタ７２との電気接続を指す）電子装置６０中の管理ソフトウェア部５０に伝送し、使用者が管理ソフトウェア部５０によって表示されたモバイルパワーパックの運用情報を見ることができるようにする。
ＭＣＵ４０は、好適にはＩＣエレメントであり、ＭＣＵ４０の情報出力端を第二電気コネクタ７２に電気接続し、さらに第二電気コネクタ７２を経て前述の運用情報を電子装置６０に伝送し、当該運用情報を第二電気コネクタ７２と電気接続された電子装置６０中に搭載された管理ソフトウェア部５０に送る。
【００２３】
ＭＣＵ４０は電源スイッチ（Ｐｏｗｅｒ  Ｓｗｉｔｃｈ）４１と電気接続され、電子装置６０と第二電気コネクタ７２を電気接続する時、使用者は電源スイッチ４１を押す手動操作によりモバイルパワーパックが電子装置６０へ電力供給を開始するよう制御できる。
実施例１のモバイルパワーパックの電気エネルギー管理システムには、また数個の指示灯４２が含まれる。指示灯４２はＭＣＵ４０と電気接続され、ＭＣＵ４０は充電式電池１０の電圧に基づき数個の指示灯４２の動作を制御し（点灯または消灯）、指示灯４２の動作により充電式電池１０の余剰電力量を表示する。
例えば、使用者が電源スイッチ４１を押した後、ＭＣＵ４０は充電式電池１０の電圧に基づき数個の指示灯４２の動作を制御して点灯させ、充電式電池１０の余剰電力量の表示に用い、また予め設定された時間が経過した後に全ての指示灯４２を消灯し、電力を節約する。
【００２４】
管理ソフトウェア部５０には、電子装置６０で運用するソフトウェアの一種（例えば、スマートフォンまたはタブレットＰＣのアプリケーションソフト）が記憶され、ＭＣＵ４０が発信するモバイルパワーパックの運用情報の表示に用いられる。スマートフォンのオペレーティングシステムにはＡｎｄｒｏｉｄ(登録商標)やＭａｃ  ＯＳ(登録商標)などの任意の１つが含まれる。
管理ソフトウェア部５０で表示されるモバイルパワーパックの運用情報には、充電電路２０の充電式電池１０に対する充電の充電電流、充電電路２０の充電式電池１０に対する充電状態（充電中と未充電の２つの状態を含む）、充電電路２０の充電式電池１０に対する充電モデル（定電圧定電流充電など）、充電式電池１０の電池電圧、電源回路３０の電力供給電流、外部の充電電源の電圧、モバイルパワーパックの保護モデルの中のいずれか１種類またはその組合せが含まれる。
【００２５】
図２は、本考案の実施例２を示す。
実施例２のモバイルパワーパックの電気エネルギー管理システムは、無線通信ユニット４３を含む。無線通信ユニット４３は、ＭＣＵ４０と電気接続され、相当する無線通信技術を備える電子装置６０と通信可能である。ＭＣＵ４０は無線通信ユニット４３を通じてモバイルパワーパックの運用情報を管理ソフトウェア部５０に伝送できる。前記した無線通信技術にはｗｉｆｉ(登録商標)やｂｌｕｅｔｏｏｔｈ(登録商標)の中の任意の１種類またはその組合せが含まれる。
その他の構成は、実施例１と同様である。
【００２６】
図３は、本考案の実施例３を示す。
第二電気コネクタ７２の種類は電子装置６０の規格に基づき決まり、Ａｎｄｒｏｉｄ(登録商標)システム、Ａｐｐｌｅ(登録商標)の電子装置、ＵＳＢ接続ポートの電気コネクタに対応するが、それらに限らない。実施例３のモバイルパワーパックの電気エネルギー管理システムには、互いに異なる規格（例えば、Ａｎｄｒｏｉｄ(登録商標)システムとＡｐｐｌｅ(登録商標)）の電子装置に対応する第二電気コネクタ７２ａ、７２ｂと、一つの出力信号制御ユニット４４が含まれる。出力信号制御ユニット４４は、ＭＣＵ４０及び第二電気コネクタ７２ａ、７２ｂと電気接続される。出力信号制御ユニット４４の主な機能は、例えばＡｎｄｒｏｉｄ(登録商標)またはＡｐｐｌｅ(登録商標)システムを運用する電子装置６０とマッチする運用情報のように、運用情報を電子装置６０にマッチする運用情報に転換することである。
その他の構成は、実施例１と同様である。
【００２７】
図４は、本考案の実施例４を示す。
実施例４のモバイルパワーパックの電気エネルギー管理システムでは、充電式電池１０に内設された温度検測エレメント１１で充電式電池１０の温度を検測し、充電式電池１０の温度情報をＭＣＵ４０に伝送する。ＭＣＵ４０には過熱保護電路が含まれ（図中には未表示）、充電式電池１０の温度が事前に設定された温度を上回った時、充電電路２０を制御して充電式電池１０の充電を停止できる。
その他の構成は、実施例１と変わるところはない。
【００２８】
図５は、本考案の実施例５を示す。
実施例５のモバイルパワーパックの電気エネルギー管理システムにおいて、ＭＣＵ４０は第三検知接点２５を通じて充電電路２０の第一電力入力部２１と電気接続し、第三検知接点２５は外部の充電電源の電圧を取得するのに用いられ、ＭＣＵ４０は外部の充電電源の電圧を管理ソフトウェア部５０へ伝送する。
その他の構成は実施例１と同じである。
【００２９】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００３０】
１０  充電式電池
１１  温度検測エレメント
２０  充電電路
２１  第一電力入力部
２２  第一電力出力部
２３  第一検知接点
２４ａ  検知点
２４ｂ  検知点
２５  第三検知接点
３０  電源回路
３１  第二電力入力部
３２  第二電力出力部
３３  第二検知接点
３４  電気接続検出接点
４０  ＭＣＵ
４１  電源スイッチ
４２  指示灯
４３  無線通信ユニット
４４  出力信号制御ユニット
５０  管理ソフトウェア部
６０  電子装置
７１  第一電気コネクタ
７２  第二電気コネクタ
７２ａ  第二電気コネクタ
７２ｂ  第二電気コネクタ
【図１】
0003203255.tif 000003
【図２】
0003203255.tif 000004
【図３】
0003203255.tif 000005
【図４】
0003203255.tif 000006
【図５】
0003203255.tif 000007